(57)【特許請求の範囲】
【請求項１】
インクリボンを叩打する先端部を有するピンと、前記ピンを摺動可能な嵌め合い状態で内嵌する有底パイプ状の本体部と、前記本体部の底面と前記ピンの基部側の端面に両端部を当接させて予圧状態とされたスプリングとからなり、前記ピンの少なくとも先端部が前記本体部の開口側端部から突出するようにして前記ピンおよび前記本体部よりも低融点のロウ材によって前記ピンと前記本体部との嵌合部をロウ付けして構成された再生機能付きインパクトワイヤの先端部の磨耗に伴う寸法の目減りを補うためのインパクトワイヤ再生方法であって、
前記再生機能付きインパクトワイヤの本体部を固定するための保持部と、初期精度を有する再生機能付きインパクトワイヤの本体部を前記保持部に固定した状態で前記再生機能付きインパクトワイヤのピンの先端に直交状態で当接する先端規制面とを備えたワイヤ長調整治具に磨耗を生じた前記再生機能付きインパクトワイヤの本体部を固定し、
前記ピンと前記本体部との嵌合部をロウ付けしている前記ロウ材を加熱して融解させることによって前記ピンと前記本体部との固着を解除した後、
前記スプリングの弾性復帰力によって前記ピンを前記本体部から突出させて前記ピンの先端を前記先端規制面に当接させて前記ピンの突出量を初期精度に戻し、
前記ロウ材に対する加熱を停止してロウ材を固化させることによって前記ピンを前記本体部に再びロウ付けすることを特徴としたインパクトワイヤ再生方法。
【請求項２】
インクリボンを叩打する先端部を有するピンと、前記ピンを摺動可能な嵌め合い状態で内嵌する有底パイプ状の本体部と、前記本体部の底面と前記ピンの基部側の端面に両端部を当接させて予圧状態とされたスプリングとからなり、前記ピンの少なくとも先端部が前記本体部の開口側端部から突出するようにして前記ピンおよび前記本体部よりも低融点のロウ材によって前記ピンと前記本体部との嵌合部をロウ付けした再生機能付きインパクトワイヤにおけるピンの突出量を予め決められた初期精度に合わせるためのワイヤ長調整治具であって、
前記再生機能付きインパクトワイヤの本体部を固定するための保持部と、初期精度を有する再生機能付きインパクトワイヤの本体部を前記保持部に固定した状態で前記再生機能付きインパクトワイヤのピンの先端に直交状態で当接する先端規制面とを備えたことを特徴とするワイヤ長調整治具。
【請求項３】
前記保持部が、再生機能付きインパクトワイヤの本体部に固着されたアーマチュアを介して前記再生機能付きインパクトワイヤの本体部を固定するように構成されていることを特徴とした請求項２記載のワイヤ長調整治具。
【請求項４】
前記保持部が、前記アーマチャを保持すべく前記先端規制面と対向して前記先端規制面に対し平行に形成された角溝によって構成されていることを特徴とした請求項３記載のワイヤ長調整治具。
【請求項５】
前記保持部が、前記先端規制面と直交する方向に形成されたＶ溝と、前記Ｖ溝に前記本体部の外周面を内接させるようにして配置された前記再生機能付きインパクトワイヤの底面を支えるエンドピースと、前記Ｖ溝に前記本体部を押圧保持するストッパ部材とによって構成されていることを特徴とした請求項２記載のワイヤ長調整治具。
【発明の詳細な説明】
【技術分野】
【０００１】
本発明は、インパクトワイヤの先端の磨耗に伴う寸法の目減りを補うためのインパクトワイヤ再生方法と、このインパクトワイヤ再生方法で利用される再生機能付きインパクトワイヤおよびワイヤ長調整治具の構造に関する。
【背景技術】
【０００２】
ドットインパクトプリンタは装置が頑丈にできており、印字ヘッドのインパクトワイヤを交換することにより半永久的に使用が可能である。
【０００３】
インクジェットプリンタやレーザープリンタが主流の昨今にあっても、インクリボンの再生使用によってランニングコストの軽減化が可能であること、複写帳票の印刷が容易に実現できること等から、銀行を始めとする各種の金融機関等においては今後も永い期間に亘って現役で使用され続ける可能性が高い。
【０００４】
ドットインパクトプリンタの構造としては、例えば、特許文献１に開示されるようにコイルスプリングを利用したスプリングチャージ式のものや特許文献２に開示されるように板バネを利用したスプリングチャージ式のもの、更には、特許文献３開示されるワイヤ自由飛行方式のもの等が公知である。
【０００５】
しかし、長期の使用によってインパクトワイヤの先端に磨耗が生じると、印字が不安定になる問題があり、この点がドットインパクトプリンタの構造上のネックとなっている。
【０００６】
インパクトワイヤの生産は専業メーカーに任されているのが一般的であるが、メーカーの都合、例えば、製造設備の老朽化や材料の供給に関わる問題等により、従来使用されていたインパクトワイヤの再生産が困難となるような状況が往々にして生じる。
【０００７】
インパクトワイヤの供給が断たれれば、当然、ドットインパクトプリンタは使用不能の状態となり、ドットインパクトプリンタのメーカーに対する顧客の信頼が損なわれるといった問題が生じる。
【０００８】
無論、ドットインパクトプリンタのメーカーが大量のインパクトワイヤを補修部品としてストックしておくということも考えられるが、メーカーあるいは顧客のコスト負担が増大する弊害がある。
【０００９】
また、ピン専門の精密加工メーカーに少量のインパクトワイヤの再生産を発注するといったことも可能ではあるが、そうした場合は加工手数料が著しく高くなるので、前記と同様、メーカーあるいは顧客のコスト負担が増大するといった問題に繋がる。
【００１０】
インパクトワイヤの耐久性を向上させるための技術としては、特許文献３に開示されるように、インパクトワイヤに外嵌される衝撃緩衝用のコイルスプリングの端部を小径化してノーズのガイド穴が広がった際のインパクトワイヤの横振動を防止することで印字作動を安定化するものが知られているが、インパクトワイヤの先端部の磨耗抑制やインパクトワイヤの再生に役立つものは今のところ提案されていない。
【００１１】
【特許文献１】特開平１−１６０６５０号公報
【特許文献２】特開２００２−５２７４７号公報
【特許文献３】特開平５−３３８２１３号公報
【発明の開示】
【発明が解決しようとする課題】
【００１２】
そこで、本発明の課題は、インパクトワイヤの先端が磨耗した場合であっても、格別の交換部品を要することなく磨耗による不都合を解消することのできるインパクトワイヤ再生方法と再生機能付きインパクトワイヤおよびワイヤ長調整治具を提供することにある。
【課題を解決するための手段】
【００１３】
本発明のインパクトワイヤ再生方法は、インクリボンを叩打する先端部を有するピンと、前記ピンを摺動可能な嵌め合い状態で内嵌する有底パイプ状の本体部と、前記本体部の底面と前記ピンの基部側の端面に両端部を当接させて予圧状態とされたスプリングとからなり、前記ピンの少なくとも先端部が前記本体部の開口側端部から突出するようにして前記ピンおよび前記本体部よりも低融点のロウ材によって前記ピンと前記本体部との嵌合部をロウ付けして構成された再生機能付きインパクトワイヤの先端部の磨耗に伴う寸法の目減りを補うためのインパクトワイヤ再生方法であり、
前記再生機能付きインパクトワイヤの本体部を固定するための保持部と、初期精度を有する再生機能付きインパクトワイヤの本体部を前記保持部に固定した状態で前記再生機能付きインパクトワイヤのピンの先端に直交状態で当接する先端規制面とを備えたワイヤ長調整治具に磨耗を生じた前記再生機能付きインパクトワイヤの本体部を固定し、
前記ピンと前記本体部との嵌合部をロウ付けしている前記ロウ材を加熱して融解させることによって前記ピンと前記本体部との固着を解除した後、
前記スプリングの弾性復帰力によって前記ピンを前記本体部から突出させて前記ピンの先端を前記先端規制面に当接させて前記ピンの突出量を初期精度に戻し、
前記ロウ材に対する加熱を停止してロウ材を固化させることによって前記ピンを前記本体部に再びロウ付けすることを特徴とした構成を有する。
【００１５】
本発明のワイヤ長調整治具は、前述のインパクトワイヤ再生方法において使用されるワイヤ長調整治具であり、
再生機能付きインパクトワイヤの本体部を固定するための保持部と、初期精度を有する再生機能付きインパクトワイヤの本体部を前記保持部に固定した状態で前記再生機能付きインパクトワイヤのピンの先端に直交状態で当接する先端規制面とを備えたことを特徴とする構成を有する。
【発明の効果】
【００１６】
本発明によれば、再生機能付きインパクトワイヤを構成するピンと本体部とを固着するロウ材を融解してピンの磨耗量に相当する分だけピンを突出させた状態で改めてピンと本体部とを再固着することができるので、再生機能付きインパクトワイヤを構成するピンの先端が磨耗した場合であっても、部品交換を行なうことなくドットインパクトプリンタを継続して使用することができる。
【発明を実施するための最良の形態】
【００１７】
次に、本発明を実施するための最良の形態について一例を挙げて具体的に説明する。
【００１８】
図１は本発明を適用した一実施形態のインパクトワイヤ再生方法で利用される再生機能付きインパクトワイヤ１の構成について示した断面図、図２は同実施形態のインパクトワイヤ再生方法で利用されるワイヤ長調整治具２の構成について示した斜視図、図３はワイヤ長調整治具２の一部を拡大して組み立て状態を示した図、図４はワイヤ長調整治具２に再生機能付きインパクトワイヤ１を装着した状態を示した断面図である。
【００１９】
この実施形態の再生機能付きインパクトワイヤ１の主要部は、図１に示されるように、ドットインパクトプリンタに装着されたインクリボン（図示せず）を叩打する先端部３を有するピン４と、ピン４を摺動可能な嵌め合い状態で内嵌した有底パイプ状の本体部５、および、本体部５の底面６とピン４の基部側の端面７に両端部を当接させて予圧されたスプリング８によって構成され、ピン４および本体部５よりも低融点のロウ材９によってピン４と本体部５との嵌合部１０がロウ付けされている。
【００２０】
より具体的には、ピン４は、印刷に必要とされるドット径に適合した直径を有する円柱状の先端部３と、有底パイプ状の本体部５の内径に適合した外径を有する基部側大径部１１とを備え、基部側大径部１１の端部から１／３程度の部分が本体部５の内部に収められ、基部側大径部１１の残り２／３程度の部分と円柱状の先端部３の全てが本体部５の開口側端部から外部に突出し、基部側大径部１１と先端部３の間が先細りのテーパ部１２によって滑らかに連絡されている。
【００２１】
円柱状の先端部３は、その最先端部の側に或る程度の磨耗が生じた場合であっても印字の際のドット径が保証されるように、つまり、先端部３の断面形状や寸法が変化しないように、円柱体の部分の軸方向長さが例えば数ミリ程度といったように長めの値に決められている。
【００２２】
また、本体部５の内部に収められている基部側大径部１１の長さは概ね円柱状の先端部３の長さと同等であり、円柱状の先端部３の大半が磨耗し切った状態でも、基部側大径部１１を本体部５から押し出すことによってピン４の全体的な突出量を初期の状態に戻すことができ、更に、この状態で本体部５の内周面と基部側大径部１１との嵌合状態を維持してロウ付けによる固着ができるようになっている。
【００２３】
ピン４の材料としては炭素工具鋼，高速度工具鋼，合金工具鋼等が望ましく、また、本体部５の材料としてはステンレス鋼等が望ましい。
【００２４】
工具鋼やステンレス鋼を接合するロウ材９としては一般に銀ロウ，黄銅ロウ，ニッケルロウ等が使用されるので、ロウ材９の融点はピン４や本体部５更にはバネ鋼からなるスプリング８の融点に比べて十分に低く、仮に、ロウ材９の溶融や固化を何度かに亘って繰り返したとしても、ピン４や本体部５およびスプリング８の機械的な特性が損なわれることはない。
【００２５】
前述した通り、ピン４の基部側大径部１１と有底パイプ状の本体部５との嵌め合いは、本体部５の内周面がピン４の摺動動作を妨げない程度の遊嵌嵌めであるが、より厳密に言えば、この遊嵌状態は、ピン４および本体部５をロウ材９の融点温度にまで加熱した状態でも保証されている必要があり、ピン４の基部側大径部１１の外径と有底パイプ状の本体部５の内径は、鋼材の線膨張係数等を考慮して決める必要がある。
【００２６】
再生機能付きインパクトワイヤ１の本体部５に固着されたアーマチュア１３は、図示しない印字ヘッドに設けられたコイルの励磁によって生じる磁気吸引力と図示しない印字ヘッド内のアーマチュア復帰バネの弾性力とを利用して再生機能付きインパクトワイヤ１を図示しないドットインパクトプリンタのプラテンに対して接離する方向に駆動するためのもので、スプリングチャージ式のドットインパクトプリンタにあっては周知の構成要素である。
【００２７】
この実施形態における再生機能付きインパクトワイヤ１の長さＬは、図１に示されるように、アーマチュア１３の下端面１３ａからピン４の最先端部に至る軸方向距離で規定されている。
なお、ワイヤ自由飛行方式のドットインパクトプリンタにあっては、アーマチュア１３が再生機能付きインパクトワイヤ１と分離した構造となっているので、一般に、再生機能付きインパクトワイヤ１の長さは本体部５の下端面からピン４の先端に至る距離つまり図１に示される長さＬ’によって表される。
【００２８】
この実施形態で採用されたワイヤ長調整治具２は、図２に示されるように、再生機能付きインパクトワイヤ１の本体部５を固定するための保持部１４と、初期精度を有する再生機能付きインパクトワイヤ１の本体部５を保持部１４に固定した状態で再生機能付きインパクトワイヤ１のピン４の先端に直交状態で当接する先端規制面１５とを備える。
【００２９】
より具体的には、ワイヤ長調整治具２は、図２に示されるように、３本の矩形状のブロック材１６，１７，１８をコの字型に組み合わせてネジ止め等で一体的に構成したもので、ブロック材１６の上面側に保持部１４が設けられる一方、このブロック材１６に対向するブロック材１８の下面側に先端規制面１５が形成されている。
【００３０】
また、ブロック材１６の手前側の端部には、再生機能付きインパクトワイヤ１の本体部５を保持部１４に固定する際に逃ガシとして機能する切欠部１９が形成されている。
【００３１】
保持部１４の主要部は、再生機能付きインパクトワイヤ１の本体部５と一体化されたアーマチュア１３の下端面１３ａおよび左右両側面１３ｂ，１３ｃに嵌合するようにしてブロック材１６の上面側に刻設された角溝２０によって構成される。角溝２０はアーマチュア１３を介して再生機能付きインパクトワイヤ１をワイヤ長調整治具２に固定するためのもので、ブロック材１８の下面側に形成された先端規制面１５に対向するかたちで、かつ、先端規制面１５に対して平行となるようにしてブロック材１６の上面側に刻設されている。
また、図３に示されるようにしてブロック材１６の側面に形成された摺動溝２１と、摺動溝２１に遊嵌された略Ｌ字型のストッパ部材２２と、ストッパ部材２２に穿設された長穴２３を貫通してストッパ部材２２を摺動溝２１に摺動自在に取り付ける段付きの六角穴付きボルト２４、更には、ブロック材１６の側面に植設されたピン２５とストッパ部材２２の表面に植設されたピン２６で両端を支持されて予圧状態とされ、其のループ部分２７ａを貫通するリベット２８によってブロック材１６の側面に固定された捩りコイルバネ２７も保持部１４の一部である。
【００３２】
ブロック材１７，１８を別部材としているのは、材料取りの容易化と材料の歩留まりの向上を目的としてのことであり、また、ブロック材１６を別部材としているのは保持部１４の主要な構成要素である角溝２０を研削加工によって精密に仕上げるため（回転砥石を通すため）であるから、材料取りや歩留まりおよび精度等に関して格別の注意を払う必要がなければ、ブロック材１６，１７，１８からなるフレーム部分の一体加工たとえばプレスによる打ち抜き加工や角溝２０のフライス加工等も可能である。
【００３３】
この実施形態では、保持部１４の主要部である角溝２０の底面２０ａにアーマチュア１３の下端面１３ａを確実に密着させる必要上、捩りコイルバネ２７で下方に向けて付勢されたストッパ部材２２を設け、ストッパ部材２２の舌片部２２ａの下面でアーマチュア１３の上端面１３ｄを角溝２０の底面２０ａに向けて押さえ付けるようにしているが、同様の操作を手で行うようにすれば、摺動溝２１，ストッパ部材２２，六角穴付きボルト２４，ピン２５，ピン２６，リベット２８，捩りコイルバネ２７は省略してもよく、その場合は、保持部１４が角溝２０のみによって構成されることになる。
【００３４】
次に、先端部に磨耗が生じた再生機能付きインパクトワイヤ１を再生して其の全長を初期状態に戻す場合の処理操作について説明する。
【００３５】
再生機能付きインパクトワイヤ１の先端に許容できない磨耗が生じているか否かは、ドットインパクトプリンタによって印字された用紙や帳票の印字状態を確認することで容易に判別され得る。
【００３６】
そこで、再生機能付きインパクトワイヤ１の先端に許容できない磨耗が生じたことが確認された場合には、まず、ドットインパクトプリンタの印字ヘッドを分解して再生機能付きインパクトワイヤ１を印字ヘッドから取り外し、アセトン等で洗浄する。
【００３７】
次いで、ワイヤ長調整治具２を把持し、捩りコイルバネ２７の付勢力に抗して舌片部２２ａがブロック材１６における角溝２０の底面２０ａから離間する方向にストッパ部材２２を持ち上げ、舌片部２２ａの下面と角溝２０の底面２０ａとの間にアーマチュア１３の上下幅に匹敵する間隔を形成した上で、アーマチュア１３の下端面１３ａを角溝２０の底面２０ａに押し付けるようにしながらアーマチュア１３をスライドさせて、角溝２０にアーマチュア１３を嵌合させる。
ブロック材１６には切欠部１９が形成されているので、アーマチュア１３の下端面１３ａよりも下方に突出した本体部５の部分がブロック材１６に干渉する心配はない。
【００３８】
そして、アーマチュア１３を角溝２０に嵌合させた状態でストッパ部材２２から手を離すと、ストッパ部材２２が捩りコイルバネ２７の弾性復帰力で付勢されて自動的に下降し、ストッパ部材２２の舌片部２２ａの下面がアーマチュア１３の上端面１３ｄを押圧し、アーマチュア１３の下端面１３ａが角溝２０の底面２０ａと密着した状態で、再生機能付きインパクトワイヤ１がワイヤ長調整治具２の保持部１４に固定される。
【００３９】
既に述べた通り、ブロック材１６上の角溝２０はブロック材１８の下面側に形成された先端規制面１５に対向し、かつ、先端規制面１５に対して平行となっているから、再生機能付きインパクトワイヤ１の軸に対して垂直に径方向外側に突出するアーマチュア１３が角溝２０に対して適切に嵌合された時点で、再生機能付きインパクトワイヤ１のピン４および有底パイプ状の本体部５が、ブロック材１８の下面側の先端規制面１５に対して垂直な状態となる。
【００４０】
再生機能付きインパクトワイヤ１をワイヤ長調整治具２に装着した状態を図４に示す。
【００４１】
ワイヤ長調整治具２に装着された再生機能付きインパクトワイヤ１には、ピン４の先端で或る程度の磨耗ΔＬが生じているので、初期精度を有する再生機能付きインパクトワイヤ１の本体部５を保持部１４に固定した状態でピン４の先端に直交状態で当接する先端規制面１５とピン４の先端との間には、図４に示されるように、磨耗量に相当する間隙ΔＬが生じることになる。
【００４２】
次いで、再生機能付きインパクトワイヤ１のピン４を本体部５に固着しているロウ材９の周辺をガストーチ等で加熱してロウ材９を融解させると、ピン４と本体部５との固着が解除される。
【００４３】
この結果、本体部５に内嵌されたスプリング８の弾性復帰力によってピン４が本体部５の開口側端部から押し出され、磨耗を生じているピン４の最先端部がブロック材１８の下面側の先端規制面１５に当接した時点でピン４の突出が停止する。
【００４４】
先端規制面１５は初期精度を有する再生機能付きインパクトワイヤ１の本体部５を保持部１４に固定した状態でピン４の先端に直交状態で当接する位置に形成されているから、先端部にΔＬの磨耗を生じているピン４は、磨耗量ΔＬに相当する距離だけ本体部５の開口側端部から押し出されることになり、磨耗を生じたピン４の突出量は初期の精度に自動的に復帰することになる。
【００４５】
この際、ピン４の先端が押し出されて先端規制面１５に衝接することにより、再生機能付きインパクトワイヤ１およびアーマチュア１３を図４中のＰ点を中心としてカウンタクロックワイズ方向に回転させる僅かな力が作用するが、アーマチュア１３の上端面１３ｄがストッパ部材２２の舌片部２２ａによって上方から支えられているので、再生機能付きインパクトワイヤ１が不用意に位置・姿勢を変化させることはない。
【００４６】
ピン４の最先端部が先端規制面１５に当接したことを確認した時点でガストーチ等による加熱を停止すれば、外気との接触による空冷作用および再生機能付きインパクトワイヤ１と接触したワイヤ長調整治具２による熱交換作用によってロウ材９の周辺が冷却され、ロウ材９が固化することによってピン４の基部側大径部１１が有底パイプ状の本体部５に改めて強固に固着される。
【００４７】
ロウ材９の周辺をガストーチ等で加熱してロウ材９を融解させる際には再生機能付きインパクトワイヤ１におけるピン４と本体部５の接合箇所周辺のみが集中的に加熱され、ワイヤ長調整治具２、特に、ブロック材１７の部分は加熱されにくいので、加熱状況下でピン４の突出量を正しく規制された再生機能付きインパクトワイヤ１が常温に復した段階で、厳密に言えば、ピン４の最先端部が僅かに先端規制面１５から離間することになるが、その縮退量は僅かであるから印字の状態に影響を与える心配はない。
また、常温環境下におけるピン４の突出量を極めて厳密に初期精度に一致させる必要がある場合には、前述したような再生機能付きインパクトワイヤ１の縮退量を予め考慮し、ブロック１６に設けられた角溝２０の底面２０ａからブロック材１８の先端規制面１５に至る離間距離が基準値である長さＬに対して前述の縮退量に相当する分だけ大きくなるように各部の加工、例えば、角溝２０の深さやブロック材１７の長さを調整しておくようにする。
【００４８】
以上、再生機能付きインパクトワイヤ１の本体部５に一体的に固着されたアーマチュア１３を利用して再生機能付きインパクトワイヤ１をワイヤ長調整治具２の保持部１４に取り付けるようにした例について述べたが、ワイヤ自由飛行方式のドットインパクトプリンタにあってはアーマチュア１３と再生機能付きインパクトワイヤ１とが独立した構成であるので、アーマチュア１３を利用して再生機能付きインパクトワイヤ１をワイヤ長調整治具２の保持部１４に取り付けるといったことはできない。
【００４９】
次に、アーマチュア１３と独立した再生機能付きインパクトワイヤ１を取り扱うためのワイヤ長調整治具２９の構成について図５を参照して説明する。
【００５０】
このワイヤ長調整治具２９は、図５に示されるように、再生機能付きインパクトワイヤ１の本体部５を固定するための保持部３０と、初期精度を有する再生機能付きインパクトワイヤ１の本体部５を保持部１４に固定した状態で再生機能付きインパクトワイヤ１のピン４の先端に直交状態で当接する先端規制面１５とを備える。
【００５１】
より具体的には、ワイヤ長調整治具２９は、図５に示されるように、３本の矩形状のブロック材１６，１７，１８をコの字型に組み合わせてネジ止め等で一体的に構成したもので、ブロック材１６の手前側の端部に保持部３０が設けられる一方、このブロック材１６の上面に対向するブロック材１８の下面側に先端規制面１５が形成されている。
【００５２】
保持部３０は、再生機能付きインパクトワイヤ１の本体部５の外周面と嵌合して再生機能付きインパクトワイヤ１を支えるためにブロック材１６の手前側の端面に先端規制面１５と直交する方きで刻設された上下方向のＶ溝３１と、Ｖ溝３１で支えられた本体部５の下端面を支持するための矩形状のエンドピース３２と、略Ｌ字型のストッパ部材３３によって構成されている。
【００５３】
ストッパ部材３３は、Ｖ溝３１の加工を容易にするためにブロック材１６とは別部材で構成され、Ｖ溝３１の加工終了後にネジ等でブロック材１６に固着されている。ストッパ部材３３は前述した実施形態のストッパ部材２２と同等の構成を有するもので、図示しない捩りコイルバネの付勢力により、ストッパ部材３３の舌片部３３ａがＶ溝３１に接近する方向に向けて付勢されている。つまり、ストッパ部材３３の移動方向をガイドすべくブロック材１６の左側面に設けられた図示しない摺動溝は、ブロック材１６の長手方向に沿って刻設されていることになる。
【００５４】
再生機能付きインパクトワイヤ１の全長が図１に示される寸法Ｌ’であるとすれば、エンドピース３２の上面から先端規制面１５に至る距離がＬ’となるように、ワイヤ長調整治具２９の各部の加工、例えば、ブロック材１７の長さ等を調整しておくようにする。
【００５５】
このワイヤ長調整治具２９を使用して再生機能付きインパクトワイヤ１のピン４の突出量を初期状態に戻す場合には、まず、ワイヤ長調整治具２９を把持し、図示しない捩りコイルバネの付勢力に抗して舌片部３３ａがブロック材１６におけるＶ溝３１から離間する方向にストッパ部材３３を引き出し、舌片部３３ａ裏面とＶ溝３１との間に再生機能付きインパクトワイヤ１の本体部５を挟み込めるだけの間隔を形成した上で、本体部５の外周面をＶ溝３１の２つの側壁に密着させて再生機能付きインパクトワイヤ１が先端規制面１５に対して直交するように再生機能付きインパクトワイヤ１の姿勢を正し、本体部５の下端面をエンドピース３２の上面に当接させる。
【００５６】
そして、この状態を維持したままストッパ部材３３から手を離すと、ストッパ部材３３が図示しない捩りコイルバネの弾性復帰力で付勢されて舌片部３３ａが自動的にＶ溝３１に向けて移動し、舌片部３３ａの裏面が本体部５の外周面を押圧し、本体部５の外周面をＶ溝３１の２つの側壁に予圧状態で密着させる。
【００５７】
この状態で、本体部５の姿勢がＶ溝３１によって規制され、再生機能付きインパクトワイヤ１のピン４および有底パイプ状の本体部５が、ブロック材１８の下面側の先端規制面１５に対して垂直な状態となる。
【００５８】
ワイヤ長調整治具２９の保持部３０に装着された再生機能付きインパクトワイヤ１には、ピン４の先端で或る程度の磨耗ΔＬが生じているので、初期精度を有する再生機能付きインパクトワイヤ１の本体部５を保持部３０に固定した状態でピン４の先端に直交状態で当接する先端規制面１５とピン４の先端との間には、磨耗量に相当する間隙ΔＬが生じることになる。
【００５９】
次いで、再生機能付きインパクトワイヤ１のピン４を本体部５に固着しているロウ材９の周辺をガストーチ等で加熱してロウ材９を融解させると、ピン４と本体部５との固着が解除される。
【００６０】
この結果、本体部５に内嵌されたスプリング８の弾性復帰力によってピン４が本体部５の開口側端部から押し出され、磨耗を生じているピン４の最先端部がブロック材１８の下面側の先端規制面１５に当接した時点でピン４の突出が停止する。
【００６１】
先端規制面１５は初期精度を有する再生機能付きインパクトワイヤ１の本体部５を保持部３０に固定した状態でピン４の先端に直交状態で当接する位置に形成されているから、先端部にΔＬの磨耗を生じているピン４は、磨耗量ΔＬに相当する距離だけ本体部５の開口側端部から押し出されることになり、磨耗を生じたピン４の突出量は初期の精度に自動的に復帰することになる。
【００６２】
この際、ピン４の先端が押し出されて先端規制面１５に衝接するが、その反力は再生機能付きインパクトワイヤ１の中心軸に沿って作用するので、再生機能付きインパクトワイヤ１に不用意な姿勢変化が生じることはない。
【００６３】
また、仮に、再生機能付きインパクトワイヤ１を保持部３０に装着するときのミスで本体部５の下端面とエンドピース３２の上面の間に間隙が生じていたとしても、ピン４を突出させようとするスプリング８の弾性復帰力によって本体部５の下端面がエンドピース３２の上面に押し付けられるので、この間隙が自動的に解消される。
【００６４】
ピン４の最先端部が先端規制面１５に当接したことを確認した時点でガストーチ等による加熱を停止すれば、外気との接触による空冷作用および再生機能付きインパクトワイヤ１と接触したワイヤ長調整治具２９による熱交換作用によってロウ材９の周辺が冷却され、ロウ材９が固化することによってピン４の基部側大径部１１が有底パイプ状の本体部５に改めて強固に固着される。
【００６５】
前記と同様、ロウ材９の周辺をガストーチ等で加熱してロウ材９を融解させる際には再生機能付きインパクトワイヤ１におけるピン４と本体部５の接合箇所周辺のみが集中的に加熱されるが、ワイヤ長調整治具２９、特に、ブロック材１７の部分は加熱されにくいので、加熱状況下でピン４の突出量を正しく規制された再生機能付きインパクトワイヤ１が常温に復した段階で、厳密に言えば、ピン４の最先端部が僅かに先端規制面１５から離間するが、その縮退量は僅かであるから印字の状態に影響を与える心配はない。
また、常温環境下におけるピン４の突出量を極めて厳密に初期精度に一致させる必要がある場合には、再生機能付きインパクトワイヤ１の縮退量を予め考慮し、エンドピース３２の上面からブロック材１８の先端規制面１５に至る離間距離が基準値である寸法Ｌ’に対して前述の縮退量に相当する分だけ大きくなるように各部の加工、例えば、ブロック材１７の長さを調整しておくようにする。
【００６６】
以上に述べた通り、これらの実施形態によれば、ワイヤ長調整治具２（２９）の保持部１４（３０）に再生機能付きインパクトワイヤ１を取り付け、再生機能付きインパクトワイヤ１を構成するピン４と本体部５とを固着するロウ材９を融解し、ワイヤ長調整治具２（２９）の保持部１４（３０）と先端規制面１５とによりピン４の磨耗量ΔＬに相当する分だけピン４が突出するようにピン４の突出量を規制した状態でスプリング８の弾性力でピン４を突出させた後、改めてロウ材９を固化させてピン４と本体部５とを再固着することができるので、再生機能付きインパクトワイヤ１を構成するピン４の先端が磨耗した場合であっても、再生機能付きインパクトワイヤ１や其の構成要素を全く交換することなく、ドットインパクトプリンタを継続して使用することができる。
【００６７】
この結果、ドットインパクトプリンタのメーカーが大量のインパクトワイヤを補修部品としてストックしたり、あるいは、インパクトワイヤの入手が困難となった段階で改めて精密加工メーカーにインパクトワイヤの生産を発注しなくても、ドットインパクトプリンタを継続して使用することが可能となる。
【００６８】
また、ドットインパクトプリンタのメーカーが大量の補修部品を抱え込んだり、将来のドットインパクトプリンタの補修作業を見越してドットインパクトプリンタのコストを算定するといった必要性もなくなるので、ドットインパクトプリンタの販売価格を低く抑えて出荷するといったことができるようになる。
【図面の簡単な説明】
【００６９】
【図１】本発明を適用した一実施形態のインパクトワイヤ再生方法で利用される再生機能付きインパクトワイヤの構成について示した断面図である。
【図２】同実施形態のインパクトワイヤ再生方法で利用されるワイヤ長調整治具の構成について示した斜視図である。
【図３】同実施形態のワイヤ長調整治具の一部を拡大して組み立て状態を示した図である。
【図４】同実施形態のワイヤ長調整治具に再生機能付きインパクトワイヤを装着した状態を示した断面図である。
【図５】他の一実施形態のワイヤ長調整治具の構成について示した斜視図である。
【符号の説明】
【００７０】
１  再生機能付きインパクトワイヤ
２  ワイヤ長調整治具
３  先端部
４  ピン
５  本体部
６  本体部の底面
７  ピンの基部側の端面
８  スプリング
９  ロウ材
１０  嵌合部
１１  基部側大径部
１２  先細りのテーパ部
１３  アーマチュア
１３ａ  アーマチュアの下端面
１３ｂ，１３ｃ  アーマチュアの左右側面
１３ｄ  アーマチュアの上端面
１４  保持部
１５  先端規制面
１６  ブロック材
１７  ブロック材
１８  ブロック材
１９  切欠部
２０  角溝
２０ａ  底面
２１  摺動溝
２２  ストッパ部材
２２ａ  舌片部
２３  長穴
２４  六角穴付きボルト
２５，２６  ピン
２７  捩りコイルバネ
２７ａ  ループ部分
２８  リベット
２９  ワイヤ長調整治具
３０  保持部
３１  Ｖ溝
３２  エンドピース
３３  ストッパ部材
３３ａ  舌片部
【図１】
0005051654.tif 000002
【図２】
0005051654.tif 000003
【図３】
0005051654.tif 000004
【図４】
0005051654.tif 000005
【図５】
0005051654.tif 000006